(57)【要約】【課題】冷風機能と送風機能とを備えた除湿機を提供する。【解決手段】蒸発器、凝縮器、圧縮機及び膨張装置を備えており、蒸発器の一側端に第１のファンが設けられ、凝縮器の一側端に第２のファンが設けられる除湿機であって、前記除湿機が更に、外部に連通可能な第１の出口と、外部に連通可能な第２の出口と、第１の出口または第２の出口を開閉する止板とを備え、第１の出口及び第２の出口の開閉状態にかかわらず、蒸発器、第１のファン、及び第１の出口の順で第１の通路が形成されるとともに、蒸発器、凝縮器、第２のファン、及び第２の出口の順で第２の通路が形成され、第２の出口が止板によって閉じられると、蒸発器から発生した冷たい空気が第１の通路を経由して第１の出口から排出され、第１の出口が止板によって閉じられると、蒸発器から発生した冷たい空気が第２の通路を経由して第２の出口から排出される。【選択図】  図７
2013148346.tif 000002
【特許請求の範囲】
【請求項１】
冷風機能と送風機能とを備えた除湿機であって、
前記除湿機が蒸発器、凝縮器、圧縮機及び膨張装置を備えており、前記蒸発器の一側端に第１のファンが設けられ、前記凝縮器の一側端に第２のファンが設けられ、
前記除湿機が更に、外部に連通可能な第１の出口と、外部に連通可能な第２の出口と、前記第１の出口または前記第２の出口を開閉する止板とを備え、
前記第１の出口及び前記第２の出口の開閉状態にかかわらず、前記蒸発器、前記第１のファン、及び前記第１の出口の順で第１の通路が形成されるとともに、前記蒸発器、前記凝縮器、前記第２のファン、及び前記第２の出口の順で第２の通路が形成され、
前記第２の出口が前記止板によって閉じられると、前記蒸発器から発生した冷たい空気が前記第１の通路を経由して前記第１の出口から排出され、
前記第１の出口が前記止板によって閉じられると、前記蒸発器から発生した冷たい空気が前記第２の通路を経由して前記第２の出口から排出されることを特徴とする除湿機。
【請求項２】
頂部に開口を備え、この開口に内部から出る冷却空気の流れ方向を案内可能な可動式カバープレートが枢支されたハウジングと、
前記ハウジング内に設置され、前記蒸発器、前記凝縮器、前記圧縮機、前記膨張装置、前記第１のファン、及び前記第２のファンを備える機体ユニットと、
前記蒸発器の下方に設けられた貯水器と、
前記開口の下方及び前記機体ユニットの上方に設置され、前記第１の出口及び前記第２の出口を備えた前記ハウジング内に設置される隔離板と、
前記蒸発器と前記凝縮器との間に位置して前記第２の通路の一部を形成すると共に、前記凝縮器に連通される第１のダクトと、
前記第１ダクト及び前記隔離板の第１の出口に連通されて前記第２の通路の一部を形成すると共に、気体が第１のファン及び蒸発器を経由して進入する第２のダクトと、
前記隔離板上の前記第２の出口に連通されて前記第２の通路の一部を形成すると共に、気体が前記凝縮器及び前記第２のファンを経由して進入する第３のダクトと、
を備えることを特徴とする請求項１記載の除湿機。
【請求項３】
前記蒸発器は、前記凝縮器の上方にあることを特徴とする請求項２記載の除湿機。
【請求項４】
前記機体ユニットは、第３の出口を設置し、第３の出口が前記隔離板の前記第２の出口の
下方、かつ前記蒸発器の上方に位置されることを特徴とする請求項２記載の除湿機。
【請求項５】
前記機体ユニットは、さらに、隔離板に対して直交するように配向されて同隔離板に接
続して前記蒸発器及び前記凝縮器をその一側に位置させる第１の隔板と、前記第１の隔板
の一側に設置され、前記蒸発器と前記凝縮器とを隔離して第１のファンと第２のファンと
を前記第１の隔板の他側に位置させる第２の隔板と、前記第１の隔板の他側に設置され、
前記第１のファン及び前記第２のファンを隔離する第３の隔板と、前記隔離板と前記第１
の隔板とを垂直に接続して、前記第２のダクトと前記第３のダクトとを異なる側に位置さ
せる第４の隔板と、を含むことを特徴とする請求項２載の除湿機。
【請求項６】
前記第１の隔板は、第１の通孔及び第２の通孔を備え、第１の通孔が前記蒸発器及び前
記第１のファンの間に介在し、第２の通孔が前記凝縮器及び前記第２のファンの間に介在
していることを特徴とする請求項５記載の除湿機。
【請求項７】
前記第３のダクトは、前記第１のファンの右側に位置されることを特徴とする請求項２
記載の除湿機。
【請求項８】
前記第３のダクトは、前記第１のファンの左側に位置されることを特徴とする請求項２
記載の除湿機。
【請求項９】
前記止板は、前記隔離板に設置され、
前記隔離板上に設置されたシュートは、前記止板が移動可能にシュート内に設置されることを特徴とする請求項２記載の除湿機。
【請求項１０】
前記第２のダクトは、開口を介して前記第１のダクトを連通することを特徴とする請求
項２記載の除湿機。
【請求項１１】
前記第１の隔板、前記第２の隔板、前記第３の隔板、前記第４の隔板及びハウジングは
、前記第２のダクト及び前記第３のダクトを形成することを特徴とする請求項５記載の除湿機。
【請求項１２】
前記第１のファン及び前記第２のファンの周りに円弧状の隔離板がなく、気流が特定の
方向に吹き出すことを特徴とする請求項６記載の除湿機。
【請求項１３】
前記第１の出口が前記止板に止められ、冷たい空気が再び気流と一緒に前記凝縮器に進
出して除湿した空気を発生して前記第２の通孔を経由して、前記第３のダクトを介して前
記第２の出口まで導引され外部へ排出させることを特徴とする請求項２記載の除湿機。
【請求項１４】
前記第２の出口が前記止板に止められ、冷たい空気が前記第１の通孔を介して再び第１
の出口から排出されることを特徴とする請求項２記載の除湿機。
【発明の詳細な説明】
【技術分野】
【０００１】
本発明は、除湿機に関し、特に冷風機能を備えた除湿機に関する。
【背景技術】
【０００２】
除湿機は、広く応用されるものと言える。大きく言えば、ビルディングの建築内部のエアコンディションに、小さく言えば、一般家庭に広く応用されているものなど、どこでも存在しているものである。除湿機は、空気中に人体に適した湿度を与えるため、大気中に含まれすぎた水気を除去する機能を有する。それに、従来の除湿機は、周りの空気を吸入することにより除湿機を利用して空気中の余計な水分を除去した後、より乾燥した空気を排出して空気の循環により周り空気の湿度を次第に低減させていく。
【０００３】
図８を参照するように、従来の除湿機の冷凍循環の見取図を示す。従来の除湿機は、いくつかの主な基本部材、例えば、圧縮機５１、凝縮器５２、膨張装置５３、蒸発器５４及びファン５５が含まれる。従来の除湿機中の冷媒は、圧縮機５１により加圧され、該冷媒は、高温高圧の気態冷媒になり、さらに凝縮器５２により冷却させ、また冷却後の液態冷媒をさらに膨張装置５３を介して蒸発器５４に入ることになる。蒸発器５４の温度は、極めて低く、空気が蒸発５４を通過する際に、空気の温度を露点以下まで降下させる。従って、空気中の水分は、蒸発器の表面に露が凝縮され、このようにして除湿効果を達成することができる。冷媒は、蒸発器５４を通じて気化され、低温低圧された気態の冷媒が再び圧縮機５１に戻り冷凍循環を完成させる。
【０００４】
図９に参照するように、従来の除湿機のブロック図を示す。今まで市場に出回っている除湿機製品は、通常除湿の単一機能のみを備えており、その構造は凝縮器５４の後方に並列すると共に、ファン５５は一つのみを使用する。まず湿った空気がファン５５に吸入され、湿った空気が除湿された後、乾燥した冷たい空気となり、この乾燥した冷たい空気は、さらに凝縮器５２で冷却され、最後にファン５５により除湿機の外部に吹き出される。そのため、蒸発器５４により凝縮された水が下方向の貯水器６に送ることになる。
【０００５】
しかし、今まで市場に出回っている除湿機製品は、普通、除湿の単一機能のみ備わっており、その機能的な要求により、一種冷風機能を備える除湿機の開発が実に重要な課題となりつつある。
【発明の開示】
【発明が解決しようとする課題】
【０００６】
本発明は、冷風機能を備えた除湿機を提供し、伝統の除湿機のシステム構造の設計を変化させるとともに、風方向での導引設計により、それぞれ除湿または冷風の機能を達成させる目的とする。
【０００７】
本発明は、さらに、冷風機能を備えた除湿機を提供する目的として、止板を利用して第１の出口（蒸発器端の空気出口）または第２の出口（凝縮器端の空気出口）を当止して風方向を変更させることで除湿または冷風の機能切換とする。  
【課題を解決するための手段】
【０００８】
前記の目的を達成するための冷風機能を備えた除湿機は、蒸発器、凝縮器、圧縮機及び膨張装置を備えており、前記蒸発器の一側端に第１のファンが設けられ、前記凝縮器の一側端に第２のファンが設けられ、前記除湿機が更に、外部に連通可能な第１の出口と、外部に連通可能な第２の出口と、前記第１の出口または前記第２の出口を開閉する止板とを備え、前記第１の出口及び前記第２の出口の開閉状態にかかわらず、前記蒸発器、前記第１のファン、及び前記第１の出口の順で第１の通路が形成されるとともに、前記蒸発器、前記凝縮器、前記第２のファン、及び前記第２の出口の順で第２の通路が形成され、前記第２の出口が前記止板によって閉じられると、前記蒸発器から発生した冷たい空気が前記第１の通路を経由して前記第１の出口から排出され、前記第１の出口が前記止板によって閉じられると、前記蒸発器から発生した冷たい空気が前記第２の通路を経由して前記第２の出口から排出される。
【０００９】
前記除湿機は、頂部に開口を備え、この開口に内部から出る冷却空気の流れ方向を案内可能な可動式カバープレートが枢支されたハウジングと、前記ハウジング内に設置され、前記蒸発器、前記凝縮器、前記圧縮機、前記膨張装置、前記第１のファン、及び前記第２のファンを備える機体ユニットと、前記蒸発器の下方に設けられた貯水器と、前記開口の下方及び前記機体ユニットの上方に設置され、前記第１の出口及び前記第２の出口を備えた前記ハウジング内に設置される隔離板と、前記蒸発器と前記凝縮器との間に位置して前記第２の通路の一部を形成すると共に、前記凝縮器に連通される第１のダクトと、前記第１ダクト及び前記隔離板の第１の出口に連通されて前記第２の通路の一部を形成すると共に、気体が第１のファン及び蒸発器を経由して進入する第２のダクトと、前記隔離板上の前記第２の出口に連通されて前記第２の通路の一部を形成すると共に、気体が前記凝縮器及び前記第２のファンを経由して進入する第３のダクトと、を備える
蒸発器が凝縮器の上方に位置されることはより好ましい。
【００１０】
また、機体ユニットに第３の出口を設置し、かつ、この第３の出口を隔離板の第２の出口の下方に位置させることはより好ましい。
機体ユニットは、さらに、隔離板に垂直接続して蒸発器及び凝縮器をその一側に位置させる第１の隔板と、第１の隔板の一側に設置され、蒸発器と凝縮器とを隔離して第１のファンと第２のファンとを第１の隔板の他側に位置させる第２の隔板と、第１の隔板の他側に設置され、第１のファン及び第２のファンを隔離する第３の隔板と、隔離板と第１の隔板とを垂直に接続して、第２のダクトと第３のダクトとを異なる側に位置させる第４の隔板とを含むことはより好ましい。
【００１１】
第１の隔板は、第１の通孔及び第２の通孔を備え、第１の通孔が蒸発器と第１のファンの間に介在し、第２の通孔が凝縮器と第２のファンの間に介在していることはより好ましい。
【００１２】
第３のダクトは、第１のファンの右側に位置されることはより好ましい。
第３のダクトは、第１のファンの左側に位置されることはより好ましい。
隔離板に設置されたシュートは、止板が移動できるように該シュート内に設置されることはより好ましい。
【００１３】
本発明は、除湿機の機能を増加させ製品の使用価値を向上させる優点にある。本発明は、除湿の機能を備える他、冷気の機能をも提供でき、その機能的な使用は、周り環境の必要に応じて調整を行うことができる。また、本発明の技術的実施は、主に伝統の除湿機のシステム構造の設計を変えさせ、風方向でのガイド設計により、それぞれ除湿または冷気の機能を達成することができる。それによって、本発明の冷風機能を備えた除湿機は、機能的に増加させると共に、全ての季節においても使用できる製品になり得るだけでなく、小型であるという利点を有している。
【発明を実施するための最良の形態】
【００１４】
本発明は、本発明の好ましい実施例に添付される図面を参照して十分に説明することを意図するものである。しかし、当業者ならば当明細書に記載される発明を変更して本発明のような効果をなし得ることも理解すべきである。従って、以下の記載は、当該領域の者にとって広く開示されているものであっても、本発明はその内容に制限されるべきでない。
【００１５】
図１及び図２を同時に参照できるように、本発明の冷風機能を備えた除湿機の立体見取図及び他の立体見取図を示す。
本発明の冷風機能を備えた除湿機１は、ハウジング２、機体ユニット５及び複数のダクトを含む。ハウジング２は、開口３を備え、この開口３に可動式カバープレート４を枢接して気体排出のためのものである。可動式カバープレート４は、本実施例の図面に示す枢軸を回転軸として回転方式で開閉され、またスライド方式で可動式カバープレート４をレール上に摺動させ開閉作用に達し得る（図示せず）。本発明の機体ユニット５は、ハウジング２の内部に設置され、この機体ユニット５には蒸発器６、凝縮器７、圧縮機８及び膨張装置（図示せず）を備える。該蒸発器６は、凝縮器７の上方に位置され、前記蒸発器６の一側端に第１のファン１０を設置し、凝縮器７の一側端に第２のファン１１を設置しており、前記蒸発器６を用いて気体の冷却を行ったため、気体中の水気を凝縮させ該蒸発器６上に結露させることはより好まれる。従って、該蒸発器６の下方に設置して凝縮された水滴を収納するために貯水器１２を必要とする。本発明は、ハウジング２の内部に隔離板１３を設置すると共に、開口３の下方及び機体ユニット５の上方に設置して該開口３と該機体ユニット５とを隔離させる。また、隔離板１３の両端にそれぞれ第１の出口１４及び第２の出口１５が開設される。
【００１６】
図３及び図４を同時に参照するように、それぞれ本発明の冷風機能を備えた除湿機における冷風の流れ方向の見取図及び他の見取図を示し、さらに図１及び図２を合わせて参照する。
【００１７】
本発明は、機体ユニット５の中央部に第１のダクト１６を設置する。第１のダクト１６は、蒸発器６及び凝縮器７の間に位置されると共に、該凝縮器７を連通する。機体ユニット７の一側に第２のダクト１７及び第３のダクト１８を設置して第２のダクト１７が第１のダクト１６を連通し、かつ第２のダクト１７も隔離板１３の第１の出口を連通させることによって、外気が蒸発器６及び第１のファン１０を経由して当該第２のダクト１７に入る際に、第１の出口１４を制御することによって、第１の出口１４または第１のダクト１５への進入を選ぶ。第３のダクト１８は隔離板１３上の第２の出口１５を連通して、外部または内部の気体は凝縮器７及び第２のファン１１を経由して第３のダクト１８に入る。このとき、第２の出口１５を制御することにより第２の出口１５または第３の出口２０への進入を選ぶ。本発明は、隔離板１３に移動できるように止板１９を設置して気体が前記第１の出口１４または前記第２の出口１５への進出を開閉するのに用いられる。より好ましいのは、隔離板１３上に一組対応するシュート２７を設置し、止板１９が該シュート２７内に移動するように設置される。そのため、当該止板１９が押されて移動する時、前記第１の出口１４または前記の第２の出口１５を閉鎖して異なる気流の流れる方向が決定される。
【００１８】
前記機体ユニット５に第３の出口２０を設置し、かつ、この第３の出口２０が前記隔離板１３の第２の出口１５の下方に位置され、即ち、この第３の出口２０及び第２の出口が垂直状に配置される。第３の出口２０は蒸発器６の上方に位置される。機体ユニット５は、さらに第１の隔板２１、第２の隔板２２、第３の隔板２３及び第４の隔板２４を含む。第１の隔板２１は、隔離板１３を垂直に接続し、蒸発器６及び凝縮器７を第１の隔板２１の一側に位置させる。第２の隔板２２は前記第１の隔板２１の一側に設置すると共に、第２の隔板で蒸発器６及び凝縮器７を隔離させ、そして前記第１のファン１０及び前記第２のファン１１が第１の隔板２１の他側に位置される。前記第３の隔板２３は第１の隔板２１の他側に位置して第３の隔板２３で第１のファン１０及び第２のファン１１を隔離する。第３の隔板２３及び第４の隔板２４により第２のダクト１７が隔離される。第４の隔板２４は隔板１３及び第１の隔板２１に垂直に接続して該第２のダクト１７と第３のダクト１８を異なる側に位置させ、さらに第３のダクト１８と第１のダクト１６とを隔離する。機体ユニット５がハウジング２の内部に取り付けられた時、このハウジング２の壁は、前記第１の隔板２１、前記第２の隔板２２、前記第３の隔板２３及び前記第４の隔板２４を結合して第２のダクト１７及び第３のダクト１８を形成する。その内、前記第３の隔板２３の下方に圧縮機８が配置されている。
【００１９】
その内、前記第１の隔板２１は第１の通孔２５及び第２の通孔２６を有し、第１の通孔２５が前記蒸発器６及び前記第１のファン１０の間に介在し、第２通孔２６が前記凝縮器７及び前記第２のファン１１の間に介在する。より好ましいのは、空気を遠心方向に送出させるために、この第１のファン１０及び第２のファン１１は遠心送風機である。また、第１のファン及び第２のファンの外周側に円弧状の隔離板１０１、１１１が設置され、空気流が特定方向へ吹く出すことができる。この円弧状隔離板１１１の下方に貯水器１２が配置されている。
【００２０】
続いて、図３及び図４を参照しながら、図１を合わせて参照するように、この実施例において、止板１９が右方向へ押されて移動し、止板１９は第２の出口１５を当接する。空気が機体ユニット５の後が側よりそれぞれ前記蒸発器６及び前記凝縮器７に入ってから、空気流が凝縮器７を介して発生した熱い空気は前記第２の通孔２６、前記第２のファン１１を経由し、最後に前記第３のダクトにより導引して前記第３の出口２０から排出される。この時、蒸発器６から発生した冷たい空気が前記第１の通孔２５、前記第１のファン１０を経由し、最後に前記第１の出口１４から排出する。この冷たい空気は、さらにハウジング２上の可動式カバープレート４によりこの冷たい空気の空気流れ方向を導引できるものは、冷風機能を備えた除湿機である。
【００２１】
図５及び図６を参照するように、それぞれ本発明の冷風機能を備えた除湿機により、除湿を行って空気の流れ方向の見取図及び他の見取図を示す。さらに、図１を合わせて参照する。止板１９を左方向へ押して移動させ、止板１９が第１の出口１４を閉じ、空気が機体ユニット５の後側から蒸発器６及び凝縮器７にそれぞれ入った後、この蒸発器６から発生した冷たい空気は、第１の通孔２５、第１のファン１０を経過する。この時、この第１の出口１４が閉じられているので、冷たい空気は、前記第２のダクト１７を介して屈折され開口２８から第１のダクト１６に入り、さらに、機体ユニット５の後側の第１のダクト１６より下方向の凝縮器７に排入することは、前記第２の隔板２２が気体流の下方向の凝縮器７の方向へその流れを阻止している。この時、冷たい空気は、再び空気と共に凝縮器７に入り、その生じた除湿空気が第２の通孔２６、第２のファン１１の順に流れされ、最後に第３のダクトを経由して第２の出口１５まで導引して外部へ排出される。この除湿空気は、さらにハウジング２上の可動式カバープレート４によりその空気の流れ方向をさらに導引する。前記のように、この設計の他の利点として、この蒸発器６を経過する冷たい空気により凝縮器７を冷却することにより、この凝縮器７の放熱効果を向上させると共に、凝縮器７の設計大きさを低減することができる。
【００２２】
図７を参照するように、本発明の冷風機能を備えた除湿機３１のその他の実施例において除湿を行って空気の流れ方向の見取図を示す。図１ないし図６に開示する実施例では、第３のダクト１８は、第１のファン１０の右側に位置される。図７に示される実施例では、この第３のダクト１８は第１のダクト１０の左側に位置するが、この実施例において、本発明の冷風機能を備えた除湿機３１により生じた冷風または除湿空気の原理は略同一で、ここでの説明を省略する。第３のダクト１８の位置のみが異なっており、この実施例により本発明の冷風機能を備えた除湿機３１の構造寸法の大きさが効果に低下され、取り付けの問題に対応することができる。
【００２３】
本発明は既に前記のより好ましい実施例により開示されているが、これにより本発明を制限するものではなく、如何なる当該技術を習熟する者が本発明の要旨及び範囲から離脱しない限りでは、各種の変動または潤飾することができるので、本願の対象とする範囲は、その特許請求の範囲による限定されるものを準ずるべきである。
【図面の簡単な説明】
【００２４】
【図１】本発明の冷風機能を備えた除湿機の斜視図。
【図２】本発明の冷風機能を備えた除湿機の他の斜視図
【図３】本発明の冷風機能を備えた除湿機における冷風の流れ方向を示す斜視図。
【図４】本発明の冷風機能を備えた除湿機における冷風の流れ方向を示す斜視図。
【図５】本発明の冷風機能を備えた除湿機が除湿して冷風を出す時の、冷風の流れ方向を示す斜視図。
【図６】本発明の冷風機能を備えた除湿機が除湿して冷風を出す時の、冷風の流れ方向を示す斜視図。
【図７】本発明の冷風機能を備えた除湿機が除湿して冷風を出す時の、冷風の流れ方向を示す斜視図。
【図８】従来の除湿機の冷凍循環を示す回路図。
【図９】従来の除湿機のブロック図。
【符号の説明】
【００２５】
１，３１…冷風機能を備えた除湿機、  ２…ハウジング、  ３…開口、  ４…可動式カバープレート、  ５…機体ユニット、  ６…蒸発器、  ７…凝縮器、８…圧縮機、１０…第１のファン、１１…第２のファン、１２…貯水器、１３…隔離板、１４…第１の出口、１５…第２の出口、１６…第１のダクト、１７…第２のダクト、１８…第３のダクト、１９…止板、２０…第３の出口、２１…第１の隔板、２２…第２の隔板、２３…第３の隔板、２４…第４の隔板、２５…第１の通孔、２６…第２の通孔、２７…シュート、２８…開口。
【図１】
2013148346.tif 000003
【図２】
2013148346.tif 000004
【図３】
2013148346.tif 000005
【図４】
2013148346.tif 000006
【図５】
2013148346.tif 000007
【図６】
2013148346.tif 000008
【図７】
2013148346.tif 000009
【図８】
2013148346.tif 000010
【図９】
2013148346.tif 000011